(57)【要約】【課題】  フェムトセルシステムにおける、ＢＣＭＣＳ配信時に、コアネットワーク装置ＦＮＧで発生するマルチキャストパケットの処理負荷をＦＮＧ増設や処理能力の改善以外の方法で軽減する。【解決手段】  フェムトセル基地局は、ＦＮＧからＢＣＭＣＳデータを受信するのではなく、フェムトセル基地局設置場所周辺に存在するマクロセル基地局が電波を通して報知しているＢＣＭＣＳデータを受信すると同時にフェムトセル基地局内で一度データを格納し、フェムトセル基地局に待ち受けている移動機へフェムトセル基地局の電波を介して再配信する。【選択図】  図１
2012253613.tif 000002
【特許請求の範囲】
【請求項１】
周辺マクロセル基地局からＢＣＭＣＳを受信し、自エリアの移動機にＢＣＭＣＳを配信するフェムトセル基地局。
【請求項２】
複数の移動機と第１の電波で通信する少なくとも１つのフェムトセル基地局と、前記フェムトセル基地局と第２の電波で通信する少なくとも一つのマクロセル基地局と、通信路を介して前記フェムトセル基地局または前記マクロセル基地局にデータを送信する送信元からなる移動体通信システムにおいて、
前記フェムトセル基地局は、
前記フェムトセル基地局の設置場所周辺に存在する通信可能な前記マクロセル基地局からデータを前記第２の電波によって受信する受信手段、
前記受信したデータを格納する格納手段、
前記格納されているデータを前記第１の電波によって前記複数の移動機の一つに再配信する送信手段とを有することを特徴とする移動体通信システム。
【請求項３】
前記マクロセル基地局を経由したデータの配信の契機は、
予め設定した配信予定時刻よりも所定時間前であることを特徴とする請求項２記載の移動体通信システム。
【請求項４】
前記マクロセル基地局を経由したデータの配信の契機は、
配信すべきデータの送信量が所定の閾値になった場合であることを特徴とする請求項２記載の移動体通信システム。
【請求項５】
前記フェムトセル基地局の設置場所周辺に存在する通信可能な前記マクロセル基地局が見つからなかった場合、前記フェムトセル基地局は、前記第２の電波によって、前記送信元からデータを受信して前記複数の移動機の一つに再配信することを特徴とする請求項２，３及び４のいずれかに記載の移動体通信システム。
【請求項６】
前記フェムトセル基地局は定期的に前記第２の電波の状況を前記送信元に通知し、前記マクロセル基地局との通信が可能であれば、前記送信元は前記フェムトセル基地局へのデータ送信を停止することを特徴とする請求項５記載の移動体通信システム。
【請求項７】
複数の移動機と第１の電波で通信する少なくとも１つのフェムトセル基地局と、前記フェムトセル基地局と第２の電波で通信する少なくとも一つのマクロセル基地局と、通信路を介して前記フェムトセル基地局または前記マクロセル基地局にデータを送信する送信元からなる移動体通信システムにおける移動体通信方法は、
前記フェムトセル基地局は、
前記フェムトセル基地局の設置場所周辺に存在する通信可能な前記マクロセル基地局からデータを前記第２の電波によって受信し、
前記受信したデータを格納し、
前記格納されているデータを前記第１の電波によって前記複数の移動機の一つに再配信することを特徴とする移動体通信方法。
【発明の詳細な説明】
【技術分野】
【０００１】
本発明は、移動体無線通信技術に関し、特に、移動体無線通信システムのフェムトセルシステムのマルチキャストデータ配信技術に関する。  
【背景技術】
【０００２】
現在の移動体通信システムでは、人々の居住エリアを広くカバーし、公共性の高いインフラシステムとして普及している。しかし一方で、建物内やビルの間では、反射や遮蔽が発生したり、マンションの高層階などでは、携帯電話基地局のカバー範囲外となるなど、依然として電波が届きにくい場所があり、移動体通信システムが使用できないエリアが都市部でも存在する。そのような圏外エリアの対策として、フェムトセル基地局の導入が進んでいる。
【０００３】
フェムトセル基地局は、一般家庭やオフィスにも設置しやすい小さな筺体で、バックボーンはインターネット回線を使用し、セル半径は半径数十メートルと小さい。これまでの携帯電話基地局の様に、バックボーンとして専用線を準備する必要がないため、基地局のサービスを開始するまでの工期を短縮できる。また、小さなセル半径であることから、既存のセルエリアとの干渉を抑えられ、設置場所を選ばないことも特色である。
【０００４】
また、フェムトセル基地局は、設置単位が家庭やオフィスの１単位であることを利用し、ホームセキュリティシステムへの応用や、ユーザ好みの番組配信システムなどの付加機能の開発も進んでおり、今後さらに普及が進むことが予想される。
【０００５】
一方で、フェムトセル基地局は、マクロ基地局に比べてカバーエリアが狭く、また、収容できる移動機の数が少ない。そのため、一定数の移動機を収容する為に必要な基地局の数は、マクロセルシステムと比較して、フェムトセルシステムではより多くの基地局が必要である。図６にフェムトセル基地局と、マクロセル基地局のカバーするエリアと同時接続可能端末数の違いについての概念図を示す。
【０００６】
現在のＣＤＭＡ携帯電話システムにおけるサービスの一つに、ＢＣＭＣＳ（ブロードキャストマルチキャストシステム）がある。このサービスは、基地局においては１通話分の通信処理で、基地局のセルエリア内に在圏する全ての移動機に情報配信するものである。
【０００７】
ＣＤＭＡ携帯電話システムでは、基地局より報知される信号を全移動機が受信し、各移動機が自分のデータであることを示す識別子が付与されている信号のみを取り出して復調を行う。ＢＣＭＣＳは、基地局から報知する信号に、全移動機が対象となるデータであるマルチキャスト識別子を付与して配信する。移動機は、自分の識別子以外にも、マルチキャスト識別子を持つデータも復調対象とし、データを取得する。この方法を用いると、基地局は一つ一つの移動機にユニキャストで情報を送信する必要がなく、１つのタイムスロット（１通話分の通信処理）で、全移動機への情報配信が可能となり、マルチキャストによるデータの増加を軽減する効果を持つ。（図８）
上記方式では、基地局〜移動機間の無線区間のリソース消費は低く抑えられているが、配信データの提供元となるコンテンツサーバから基地局までのデータ配信はユニキャストで行われているため、有線区間におけるデータ量は大幅に増加している。
【０００８】
ＢＣＭＣＳのデータの流れを図２に示す。
【０００９】
コンテンツサーバ５０１は、ＢＣＭＣＳで配信したいコンテンツが格納されているサーバである。ＢＣＭＣＳコントローラ５０２は、ＢＣＭＣＳのセッションの管理と、配信スケジュールの管理を行っている。ＢＳＮ３０１、３０２は、ＢＳＭＣＳ Ｓｅｒｖｉｎｇ  Ｎｏｄｅの略で、ＢＣＭＣＳ用ＩＰパケット終端装置である。マルチキャストルータ４０１が上位装置からのパケットを下位装置へマルチキャストする。
【００１０】
ＦＮＧ（Femto Network Gateway）は、フェムトセルシステムにおける基地局集約装置であり、ＣＲ（Consolidation Router）はマクロセルシステムにおける基地局集約装置である。いずれも、当該システムにおいて、ルータの役割を果たしている。
【００１１】
フェムトセル基地局を１０１、１０２、１０３であらわし、フェムトセル基地局が生成するセルエリアをエリア１、エリア１で待ち受け中の移動機群を１１、１２、１３とする。
【００１２】
同様に、マクロセル基地局を１１１、１１２であらわし、マクロセル基地局が生成するセルエリアをエリア２、エリア２で待ち受け中の移動機群を２１〜２５とする。
【００１３】
まず、従来の実装では、ＢＣＭＣＳコントローラ５０２により予めＢＣＭＣＳデータを配信するコンテンツサーバ５０１にてＢＣＭＣＳ配信を行うスケジュールを各基地局に配信する。（図９）
配信予定時間になると、コンテンツサーバ５０１からＢＳＮ（BCMCS Serving Node）３０１、３０２へ、コンテンツデータが送信される。データを受信したＢＳＮはコアネットワーク装置（ＦＮＧ２０１やＣＲ２１１）にデータを送信する。
【００１４】
コアネットワーク装置は、コンテンツデータを基地局に配信する為、基地局数分データをコピーして、各基地局に送信処理を行う。（図１０、図１１）
マクロセルシステムでは、１基地局に対し収容可能な移動機の数が多数存在する為、上記のような、配信元のコンテンツサーバから送信されたデータを、コアネットワーク装置で複製して基地局に配信する方式で、コンテンツサーバからコアネットワーク装置までのデータ増加量は大きくなく、またコアネットワーク装置の複製動作処理に必要な負荷は大きな問題にはならない。
【００１５】
しかし、フェムトセルシステムにおいては、エリアをカバーする為に必要なフェムトセル基地局の基地局数が多い為に、マクロセルシステムに比べてコアネットワーク装置（ＦＮＧ）で必要なデータ複製量が格段に大きく負荷が掛かる上、コアネットワーク装置と基地局間を流れるデータ量が非常に多くなってしまうという問題がある。
【００１６】
たとえば、図２において、セル半径１０キロをカバーするマクロセル基地局のエリアにある移動機群に、ＢＣＭＣＳを配信する場合を考える。コンテンツサーバ５０１〜マルチキャストルータ４０１〜ＢＳＮ３０２〜ＣＲ２１１に送信されたデータは、ＣＲ２１１から１回の複製処理でマクロセル基地局１１２に配信される。
【先行技術文献】
【非特許文献】
【００１７】
【非特許文献１】３ＧＰＰ２  Ａ．Ｓ００１９−Ａ  Version 1．0（2006．10）
【発明の概要】
【発明が解決しようとする課題】
【００１８】
同じセル半径を全てフェムトセル基地局でカバーする場合、およそ１００万台のフェムトセル基地局が必要となる。この１００万台の基地局に対してＢＣＭＣＳデータを送信する場合、ＦＮＧは基地局数分ＢＣＭＣＳデータを複製する必要があるため、ＦＮＧは１回のＢＣＭＣＳデータ配信で１００万回分の複製処理を行うこととなり、大きな負荷が生じる。そのため、ＢＣＭＣＳサービスを提供するためにＦＮＧの処理能力とＦＮＧ配下に接続されるフェムトセル基地局の台数に合わせてＦＮＧの増設や処理能力の向上が必要となってしまう。（図７）
既存のフェムトセルシステムでは、マルチキャストパケットの複製処理は、フェムトセル基地局が接続された上位装置（ＦＮＧ）において実施する。この場合、フェムトセル基地局数に比例して増加するマルチキャストパケットの複製処理はＦＮＧで行われるため、ＦＮＧの処理負荷が高くなる。これをＦＮＧの台数を増やして解決する場合、ＢＣＭＣＳ配信時間帯以外ではＦＮＧの複製処理は行われないため、通常のフェムトセルサービスを行うために必要なＦＮＧ台数に対して不要に多くのＦＮＧが必要となってしまう。
【００１９】
また、ＦＮＧとフェムトセル基地局間の回線は、専用線ではなく一般のインターネット回線であることから、ＦＮＧとフェムトセル基地局間で通信を実施すると、インターネット回線で処理するデータが増加する。ＢＣＭＣＳ配信は、ブロードキャスト型の配信であるため、フェムトセル基地局のセルエリア内に移動機が在圏していない場合や、移動機がＢＣＭＣＳデータを受信しない場合においても無条件にコンテンツデータが基地局まで配信される。そのため、ＢＣＭＣＳ配信が行われると、ＦＮＧとフェムトセル基地局間でデータ配信がバースト的に発生し、一次的にインターネット回線の回線帯域を圧迫する恐れがある。
【００２０】
本発明の目的はＦＮＧからフェムトセル基地局へのＢＣＭＣＳによる情報配信が実施される場合に発生するＦＮＧにおける複製処理負荷を、ＦＮＧ増設や処理能力の改善以外の方法で解決することである。
【課題を解決するための手段】
【００２１】
フェムトセル基地局は、ＦＮＧからＢＣＭＣＳデータを受信するのではなく、フェムトセル基地局設置場所周辺に存在するマクロセル基地局が電波を通して報知しているＢＣＭＣＳデータを受信すると同時にフェムトセル基地局内で一度データを格納し、フェムトセル基地局に待ち受けている移動機へフェムトセル基地局の電波を介して再配信する。（図１）
フェムトセル基地局に、周辺マクロセル基地局の報知電波を受信する回路を設け、移動機と同様にマクロセル基地局が報知するＢＣＭＣＳデータを受信する第一のステップと、
第一のステップで得られたＢＣＭＣＳデータをフェムトセル基地局配下に存在する移動機へ再配信を行う第二のステップとから成る。
【発明の効果】
【００２２】
本発明によって、フェムトセルシステムのネットワーク内で、ＢＣＭＣＳ配信データ用の帯域やリソース確保が不要となり、フェムトセル基地局数に比例して増加するデータ量を考慮する必要がなくなる。また、コアネットワーク装置増強も不要となり、ＢＣＭＣＳ実行時以外では余剰となってしまう設備投資を軽減することができる。
【００２３】
さらに、フェムトセル基地局がＦＮＧからデータを受信しないことで、ＦＮＧとフェムトセル基地局間のインターネット回線上へのＢＣＭＣＳデータ配信が不要となるため、回線の帯域圧迫を軽減できる。
【図面の簡単な説明】
【００２４】
【図１】本発明を適用する移動体通信システムの概略図である。
【図２】本発明を適用する移動体通信システムの構成例を説明する図である。
【図３】本発明を適用するフェムトセル基地局の実施例１の概略図である。
【図４】本発明を適用するフェムトセル基地局の実施例２の、アンテナ部分の概略図である。
【図５】本発明を適用するフェムトセル基地局の実施例３の、アンテナ部分の概略図である。
【図６】フェムトセル基地局と、マクロセル基地局のカバーするエリアと同時接続可能端末数の違いについてのイメージ図である。
【図７】フェムトセルシステムと、マクロセルシステムのそれぞれのネットワーク装置(ＦＮＧやＣＲ)における、ＢＣＭＣＳ配信時に発生するコピー処理のイメージ図である。
【図８】一般的なＣＤＭＡ携帯電話システムにおける、基地局と移動機間のＢＣＭＣＳ配信イメージ図である。
【図９】マクロセルシステムおよびフェムトセルシステムにおいて、ＢＣＭＣＳスケジュール配信シーケンスを示した図である。
【図１０】従来のフェムトセルシステムにおけるＢＣＭＣＳ配信シーケンスを示した図である。
【図１１】マクロセルシステムにおけるＢＣＭＣＳ配信シーケンスを示した図である。
【図１２】本発明適用後の、フェムトセルシステムにおけるＢＣＭＣＳ配信シーケンスを示した図である。
【図１３】本発明適用後の、フェムトセル基地局における処理フローを示した図である。
【図１４】本発明適用後の、フェムトセル基地局における処理フローの応用パターンを示した図である。
【発明を実施するための形態】
【００２５】
以下、本発明を実施するための形態の詳細を、実施例を示して説明する。
【００２６】
図２に、本発明を適用する移動体通信システムの構成例を示す。
【００２７】
図３に、フェムトセル基地局の信号送受信部の概略図を示す。
【００２８】
現在の移動体通信システムは、既設のマクロセル基地局によってセルが形成され、都市部を中心に、既に人の居住エリアのほとんどがカバーされている。
【００２９】
フェムトセル基地局は、それらマクロセルエリアの中に存在する、不感地帯に設置されることが多いため、マクロセル基地局から送信される電波は、フェムトセル基地局の受信感度を高めることで受信できる可能性が高い。
【００３０】
フェムトセル基地局では、移動機では捕捉できないような強度の電波を、受信感度の良い受信器を用いることで受信可能とする。すなわち、移動機はマクロセルの電波が捕捉できないような場所でも、フェムトセル基地局はマクロセル電波を捕捉可能となる。
【００３１】
以下、マクロセル基地局から出力される電波をマクロ波、フェムトセル基地局から出力される電波をフェムト波と呼ぶ。
【００３２】
図２の左側に示すように、フェムトセルシステムにおけるＢＣＭＣＳ配信は、まず配信スケジュールをＢＣＭＣＳコントローラ５０２からマルチキャストルータ４０１、ＢＳＮ（BCMCS Serving Node）３０１、ＦＮＧ（Femto Network Gateway）２０１を経由してフェムトセル基地局１０１〜１０３に対して配信される。その後、予定していた時間になるとコンテンツサーバ５０１からマルチキャストルータ４０１、ＢＳＮ３０１を介してフェムトセル基地局１０１〜１０３に配信され、フェムトセル基地局１０１〜１０３から移動機１１〜１３にむけて、コンテンツデータが報知される。
【００３３】
同様に図２の右側に示すようにマクロセルシステムにおけるＢＣＭＣＳ配信についても予め配信スケジュールがマクロセル基地局１１１，１１２に送信され、予定時刻にコンテンツサーバ５０１からコンテンツデータが配信される。ＢＳＮ３０２からＣＲ２１１にコンテンツデータが配信されると、ＣＲ（Consolidation Router）２１１にてデータを各マクロセル基地局数分コピーを行い、ＣＲ２１１から専用回線を経由してマクロセル基地局１１１，１１２へデータを配信している。
【００３４】
既存のＢＣＭＣＳサービスでは、移動機も配信スケジュールを、アプリケーションデータとして、コンテンツサーバから受信している形態もあるが、スケジュールデータは、ＢＣＭＣＳ配信データと比較して十分小さく、また、定期的に更新されるものではないため、従来のルートで配信しても負荷上昇は相対的には非常に小さいため、処理負荷や回線負荷の問題が生じる可能性は低い。
【００３５】
ＢＣＭＣＳデータの配信スケジュールは、マクロセルシステムでもフェムトセルシステムでも同じである。移動機は、待ち受けている基地局がマクロセル基地局かフェムトセル基地局かを問わず、同じ時刻にＢＣＭＣＳ配信が行われることを期待している。
【００３６】
フェムトセル基地局は従来ＦＮＧから受信していたＢＣＭＣＳ配信データの代わりに、
マクロセル基地局が送信したＢＣＭＣＳ配信データを受信し、再度フェムトセル基地局からのＢＣＭＣＳ配信として移動機へ送信する（図１２）。ＦＮＧはＢＳＮからＢＣＭＣＳデータを受信するが、基本的にはフェムトセル基地局へ配信せずにバッファし、フェムトセル基地局よりＢＣＭＣＳデータ要求があったときのみ、フェムトセル基地局へデータを送信してもよい。
【００３７】
即ち、図１２に示すように、コンテンツサーバ５０１からのＢＣＭＣＳ配信データがマルチキャストルータ４０１にユニキャスト配信され（１２０１）、マルチキャストルータ４０１で複製されたＢＣＭＣＳ配信データがＢＳＮ３０１にユニキャスト配信され（１２０２）、ＢＳＮ３０１で複製されたＢＣＭＣＳ配信データがＣＲ２１１にユニキャスト配信され（１２０３）、ＣＲ２１１で複製されたＢＣＭＣＳ配信データがマクロセル基地局１１１にユニキャスト配信され（１２０４）、マクロセル基地局１１１からＢＣＭＣＳ配信データがフェムトセル基地局１０１にマルチキャスト配信され（１２０５）、受信されたＢＣＭＣＳ配信データが移動機１０９にマルチキャスト配信される（１２０６）。
【００３８】
本発明を適用することで、マクロセル基地局配下に在圏する移動機に比べて、フェムトセル基地局配下に在圏する移動機はＢＣＭＣＳデータを受信するタイミングが遅くなるが、移動機のＢＣＭＣＳデータ受信タイムアウト時間は、ＢＣＭＣＳ配信スケジュールに含まれてコンテンツサーバから配信されているため、必要に応じてタイムアウト時間を延長し、移動機のデータ受信時のタイムアウトによる受信失敗を回避することも可能である。
【００３９】
図１３に、本発明を適用した時のフェムトセル基地局における、ＢＣＭＣＳ処理フローを記載する。フェムトセル基地局は、予め受信したＢＣＭＣＳ配信スケジュールに従い、配信予定時刻Ｘ分前になるまで待つ（１３０１）。配信予定時刻Ｘ分前になったら（１３０２）、マクロセル基地局から報知されるＢＣＭＣＳデータを受信する為に、マクロ波の受信を開始する（１３０３）。
【００４０】
受信したＢＣＭＣＳデータは、フェムトセル基地局内のデータ格納部に一度格納され（１３０４）、移動機に送信する為にデータ処理部、信号変換部によってフェムト波信号に変換する（１３０５）。フェムト波信号に変換されたＢＣＭＣＳデータは、フェムト波送信用の変調器、増幅器、フィルタを介して、アンテナから送信される（１３０６）。
【００４１】
フェムトセル基地局は常にマクロセルをサーチせず、配信時刻が近くなったときのみ、マクロセル基地局をサーチしてもよい。
【００４２】
また、図１４に示すように、フェムトセル基地局は、事前にマクロ波測定を実施し、ＢＣＭＣＳデータを受信できるだけの信号強度に満たないと判断できた場合に、従来通りのＦＮＧ経由のＢＣＭＣＳ受信を実施してもよい。即ち、配信予定時刻Ｘ分前になるまで待った後（１３０１）、マクロ波受信部によるマクロ波測定を開始し（１４０１）、マクロ波が受信可能かどうかを判断し（１４０２）、受信不可能であれば、ＦＮＧからＢＣＭＣＳ配信データを受信し、データ格納部に格納する（１４０３）。他のステップは、図１３と同様である。
【００４３】
図１３及び１４では、ＢＣＭＣＳ配信時刻をトリガにしてマクロ波を受信してマルチキャスト配信を行っているが、以下のように、トリガとして他の契機で実施することも可能である。
【００４４】
（１）通常、フェムト波はＦＮＧより受信しているが、データの送信量が所定の閾値になった場合に、フェムトセル基地局に対して、マクロセル基地局からデータを受信するよう指示を行う。
【００４５】
（２）その後、ＦＮＧはデータ送信を停止する。
【００４６】
（３）フェムトセル基地局はマクロセル基地局からデータを受信し、移動機に対してマルチキャスト配信を行う。
【００４７】
（４）適切なマクロセル基地局が見つからない場合（電波強度が弱い等）は、ＦＮＧへ再起動指示（配信要求）を行う。
【００４８】
（５）フェムトセル基地局は、ＦＮＧより受信したデータを移動機に対してマルチキャスト配信する。
【００４９】
また、上記の（２）におけるＦＮＧのデータ送信停止を、以下のように行ってもよい。
【００５０】
（１）フェムトセル基地局が定期的にマクロ波の状況を監視して、これをＦＮＧに通知し、フェムトセル基地局からマクロセル基地局が見えている（通信可能である）場合は、ＦＮＧはマルチキャスト配信を停止する。
【００５１】
（２）フェムトセル基地局から要求があった場合にのみ、ＦＮＧはマルチキャスト配信する。
【００５２】
本発明は、マクロセル基地局の送信する周波数チャネルと、フェムトセル基地局が送信する周波数チャネルが違う場合でも、チャネルが同じ場合でも、形態を工夫することで適用可能となる。
【実施例１】
【００５３】
図３に本発明を適用するフェムトセル基地局の構成例を示す。
【００５４】
フェムトセル基地局は、移動機と信号をやり取りする為の、移動機向けフェムト波信号送信部６２０と移動機向けフェムト波信号受信部６３０をもつ。また、今回の発明のために、周辺のマクロセル基地局の信号を受信するマクロ波信号受信部６４０と、マクロセル基地局から受信したコンテンツデータを保持するデータ格納部６１０と、自エリアで待ち受けている移動機にコンテンツデータを配信するためのデータ処理部６０９と、フェムト波用に信号を変換する信号変換部６０８を有する。
【００５５】
移動機向けフェムト波信号受信部６３０は、移動機が待ち受けや通話を行うためにフェムトセル基地局へ送信される信号を受信するためのアンテナ６１１と、受信した信号を復調する復調器６１３と、自アンテナから送信した電波から雑音を排除するフィルタ６１２をもつ。
【００５６】
移動機向けフェムト波信号送信部６２０は、ページングや通話を行うために移動機へ送信する為の信号を変調する変調器６０４と、信号の増幅器６０３と、信号を送信する為のアンテナ６０７をもつ。
【００５７】
マクロセル基地局向け信号受信部６４０は、マクロセル基地局から送信される信号を受信するためのアンテナ６０７と、受信した信号を増幅する為の増幅器６０５と、受信した信号を復調する復調器と、自アンテナから送信した電波から雑音を排除するフィルタ６０６を持つ。
図１に示す移動体通信システムのように、フェムトセル基地局１０１は、移動機向けの信号送信部６２０および受信部６３０にて、フェムトセルシステム用に割り当てられた周波数を用いて、移動機１０９との通信を実施する。また、フェムトセル基地局１０１は、フェムトセルシステムとは違う、マクロセルシステム用に割り当てられた周波数でサービス中である近隣のマクロセル基地局１１１の信号をマクロ波受信部６４０にて受信し、ＢＣＭＣＳを受けるマクロセル基地局１１１の候補を監視している。
【００５８】
マクロセル基地局１１１にＢＳＮ３０１からＢＣＭＣＳ配信が実施され、マクロセル基地局１１１がＢＣＭＣＳを報知すると、フェムトセル基地局１０１は、監視しているマクロセル基地局１１１でＢＣＭＣＳが配信されたことを検出する。コンテンツサーバ５０１からのＢＣＭＣＳデータは、マルチキャストルータ４０１及びＣＲ２１１を経由して専用回線でマクロセル基地局１１１に配信される。フェムトセル基地局１０１は、マクロセル基地局１１１から受信したデータを、データ配信が完了するまでデータ格納部６１０にバッファする。フェムトセル基地局１０１は、マクロセル基地局１１１からのＢＣＭＣＳデータの受信が完了すると、自フェムトセルエリアに待ち受けている移動機１０９に配信する為に、ＢＣＭＣＳデータの再配信を行う。まず、フェムトセル基地局１０１は、データ格納部６１０にバッファされている、マクロセル基地局１１１から受信したＢＣＭＣＳデータを取り出し、信号変換部６０８で信号に変換する。その信号を変調器６０４でフェムトセルシステムの周波数に変換した後、増幅器６０３で増幅して、送信用のアンテナ６０１から信号を送信する。
【実施例２】
【００５９】
本実施例では、マクロセル基地局１１１の周波数チャネルとフェムトセル基地局１０１の周波数チャネルが違っている場合に適用できる。
【００６０】
図４は、実施例２におけるフェムトセル基地局１０１を示す構成図の例である。
【００６１】
図３のフェムトセル基地局１０１の信号送信部６２０と信号受信部６３０とにそれぞれ設けられていた２つのアンテナ６０１，６１１を共通化する例である。
【００６２】
送受信する信号を、方向分別器６１５によって送信部と受信部へ分別することで、アンテナ６１４を一つにする。変調器６０４および復調器６０５と、方向分別器の間にはそれぞれフィルタ６０２，６０６を設置し、希望の周波数を得る。その他の構成要素は、図３と同様である。
【実施例３】
【００６３】
本実施例は、マクロセル基地局１１１の周波数チャネルとフェムトセル基地局１０１の周波数チャネル同じ場合でも適用することが可能である。
【００６４】
図５もアンテナ６０１を共通化する例である。本実施例は、マクロセル基地局１１１の電波を受信する場合は、フェムトセル基地局１０１で移動機向けに送信している信号を一時的に停止する。この場合は、フィルタ６０２は１つだけでよく、信号の送受信をアナログスイッチ６１６にて切替えて制御する。
【００６５】
この場合、フェムトセル基地局１０１は前もって受信していたＢＣＭＣＳ配信予定時刻を参考に、スイッチを切り替えておく。その他の構成要素は、図３と同様である。
【符号の説明】
【００６６】
１１〜１３：フェムトセル基地局セルエリア内の移動機
２１〜２５：マクロセル基地局セルエリア内の移動機
１０１：フェムトセル基地局
１１１、１１１：マクロセル基地局
２０１：ＦＮＧ（フェムトセルネットワークゲートウェイ）
２１１：ＣＲ（マクロセルネットワークルータ）
３０１、３０２：ＢＳＮ（ＢＣＭＣＳ Ｓｅｒｖｉｎｇ  Ｎｏｄｅ）
４０１：マルチキャストルータ
５０１：コンテンツサーバ
５０２：ＢＣＭＣＳコントローラ
６０１：フェムトセル基地局信号送信アンテナ
６０２、６０６、６１２：フィルタ
６０３：信号増幅器
６０４：信号変調器
６０５、６１３：信号復調器
６０７：マクロセル基地局信号受信アンテナ
６０８：信号変換部
６０９：データ処理部
６１０：データ格納部
６１１：フェムトセル基地局信号受信アンテナ
６１４：フェムトセル送受信用アンテナ
６１５：方向分別器
６１６：アナログスイッチ
【図１】
2012253613.tif 000003
【図２】
2012253613.tif 000004
【図３】
2012253613.tif 000005
【図４】
2012253613.tif 000006
【図５】
2012253613.tif 000007
【図６】
2012253613.tif 000008
【図７】
2012253613.tif 000009
【図８】
2012253613.tif 000010
【図９】
2012253613.tif 000011
【図１０】
2012253613.tif 000012
【図１１】
2012253613.tif 000013
【図１２】
2012253613.tif 000014
【図１３】
2012253613.tif 000015
【図１４】
2012253613.tif 000016